(57)【特許請求の範囲】
【請求項１】
板バネであって、第一の弾性係数の第一の弾性体と、
トーションバネであって、前記第一の弾性係数とは異なる第二の弾性係数の第二の弾性体と、
前記第一及び第二の弾性体が、縮められたことにより変形したときの復元方向に互いに前記第一及び第二の弾性体を押圧する位置で配置され、且つ、当該位置から外力を加えられるのに応じて前記第一及び第二の弾性体の前記復元方向に、相対的な位置が可変である第一及び第二の部材と、
を備え、
前記第一及び第二の弾性体は、前記第一の部材の一端と、前記第二の部材の一端とを回転可能に軸支する回転軸を中心として、前記第一及び第二の部材がなす角度が大きくなる方向に前記第一及び第二の部材を押圧し、
前記第二の弾性体は、前記回転軸に設けられ、前記第二の弾性体の本体から延びる凸部を有し、前記凸部が前記第一の弾性体と当接することによって前記第一の弾性体を押圧し、
前記第一の弾性体は、前記第一及び第二の部材の一端の近傍に設けられ、前記凸部と当接する表面に前記凸部と摺動可能な凹部を有する、
部材押圧機構。
【請求項２】
板バネであって、第一の弾性係数の第一の弾性体と、
トーションバネであって、前記第一の弾性係数とは異なる第二の弾性係数の第二の弾性体と、
が、縮められたことにより変形したときの復元方向に、第一及び第二の部材が互いに前記第一及び第二の弾性体を押圧する位置で配置され、
且つ、前記第一及び第二の部材は、当該位置から外力を加えられるのに応じて前記第一及び第二の弾性体の前記復元方向に、相対的な位置が可変であり、
前記第一及び第二の弾性体は、前記第一の部材の一端と、前記第二の部材の一端とを回転可能に軸支する回転軸を中心として、前記第一及び第二の部材がなす角度が大きくなる方向に前記第一及び第二の部材を押圧し、
前記第二の弾性体は、前記回転軸に設けられ、前記第二の弾性体の本体から延びる凸部を有し、前記凸部が前記第一の弾性体と当接することによって前記第一の弾性体を押圧し、
前記第一の弾性体は、前記第一及び第二の部材の一端の近傍に設けられ、前記凸部と当接する表面に前記凸部と摺動可能な凹部を有する、
部材押圧方法。
【発明の詳細な説明】
【技術分野】
【０００１】
本願発明は、弾性体が有する復元力を利用して部材を押圧する技術に関する。
【背景技術】
【０００２】
バネに代表される様々な種類の弾性体は、様々な分野における多くの製品において、その機能を実現するために利用されている。
【０００３】
このような弾性体を利用した技術の一例として、特許文献１には、デジタルカメラ等が備える装填蓋を、ロック解除後に開き位置まで自動的に回動するようにした蓋の開閉機構が開示されている。この開閉機構を備えたデジタルカメラの収納ユニットは、挿入口が形成された挿入口形成面と、装填蓋とを備える。挿入口形成面における軸支持部材には、装填蓋が、蓋取付軸を介して回動及びスライド移動自在に取り付けられている。蓋取付軸にはトーションバネが取り付けられている。この開閉機構は、装填蓋がロック解除位置にスライド移動したときに、トーションバネの弾性復元力によって装填蓋を開方向に回動させる。
【０００４】
また、特許文献２には、開口側部に、開口開閉用蓋板を開蓋方向へ付勢させて枢着した合成樹脂製の蓋板付きボックスが開示されている。このボックスは、内壁面の一部に基端部を固着させた合成樹脂製弾性部材を、内部に設けている。このボックスでは、閉蓋により当該弾性部材が弾性変形可能となるように、当該弾性部材が有する押当て板の先端が、開蓋された蓋板の枢着部寄りの蓋板基部部分内面に当接している。
【０００５】
さらに、特許文献３には、ドアの開閉等による室内の急激な圧力の変化によりシャッター板が開閉した際の雑音を低減可能なダクト用換気扇が開示されている。このダクト用換気扇は、ダクト接続部内に回転軸を中心に風圧で開閉する逆風防止用のシャッター板と、そのシャッター板と当接することにより排気口を閉塞するシャッター受け面とを有する。このダクト用換気扇は、シャッター板のシャッター受け面と当接する部分に切欠溝により弾性を有する切欠片（弾性体）を形成する。そして、その切欠片は、シャッター受け面側へ突出する。
【先行技術文献】
【特許文献】
【０００６】
【特許文献１】特開2007-165723号公報
【特許文献２】特開2002-347806号公報
【特許文献３】特開平10-141732号公報
【発明の概要】
【発明が解決しようとする課題】
【０００７】
デバイスを搭載する装置の中には、そのデバイスを搭載する部分に、シャッター構造を備えた装置がある。このようなシャッターは、ファンの風圧あるいは重力自体に耐えられる大きな閉止力と、広い空間を塞ぐために必要な広い開閉角度とを兼ね備えることが要求される。シャッターを自動で閉じる構造としては、一般的に、バネ等の弾性体が有する復元力を、シャッターを閉じる閉止力として利用することが多い。例えば、広い開閉角度を実現可能である弾性体の一つとして、トーションバネが知られている。トーションバネは、例えばコイル状に形成された金属をねじる際に、その金属がねじられる前の形状に戻ろうとして発生する復元力を利用したバネである。
【０００８】
図１１乃至１９に、トーションバネを利用した一般的なシャッター構造２の例を、３次元（Ｘ−Ｙ−Ｚ）座標を用いて示す。図１１はシャッターが閉じた状態におけるシャッター構造２の斜視図である。図１２は、図１１に示すバネ配置構造２０を拡大した斜視図である。図１３は、図１２に示すバネ配置構造２０をＺ軸正方向（垂直方向）に見たＸＹ平面（水平面）図である。図１１乃至１３に示す通り、シャッター２５は、筐体側面２４に取り付けられた回転軸２６を中心として回転可能である。トーションバネ２１は、回転軸２６に取り付けられている。トーションバネ２１は、ねじり部２１１、筐体側面側突起部２１２−１、及び、シャッター側突起部２１２−２を有している。筐体側面側突起部２１２−１は、筐体側面２４に接合されている。シャッター側突起部２１２−２は、シャッター２２に接合されている。
【０００９】
図１４はシャッターが開いた状態におけるシャッター構造２の斜視図である。図１５は、図１４に示すバネ配置構造２０を拡大した斜視図である。図１６は、図１５に示すバネ配置構造２０をＺ軸正方向に見たＸＹ平面図である。シャッター２５が、図１１乃至１３に示す閉じた状態から、図１４乃至１６に示す開いた状態になった場合、筐体側面側突起部２１２−１とシャッター側突起部２１２−２とがなす角度が小さくなることによって、ねじり部２１１に発生する復元力が大きくなる。トーションバネ２１は、筐体側面側突起部２１２−１、及び、シャッター側突起部２１２−２を介して、当該復元力を閉止力として筐体側面２４とシャッター２５とが回転軸２６において回動するように押圧する。
【００１０】
図１７乃至１９に、シャッター構造２を備える装置に対して、デバイス５０が挿入される場合における、シャッター構造２の状態を示すＸＹ平面図を示す。図１７は、デバイス５０が挿入される前の、シャッター２５が閉じた状態におけるシャッター構造２のＸＹ平面図である。図１８は、デバイス５０がＸ軸正方向に当該装置に挿入され始めたのち、シャッター２５が開く途中の状態におけるシャッター構造２のＸＹ平面図である。図１９は、デバイス５０の当該装置への挿入が完了した後の、シャッター２５が開いた状態におけるシャッター構造２のＸＹ平面図である。シャッター構造２が図１７に示す状態から図１９に示す状態に遷移する過程において、筐体側面側突起部２１１−１とシャッター側突起部２１２−１とがなす角度は、次第に小さくなる。これに伴い、ねじり部２１１に発生する復元力は、次第に大きくなる。すなわち、トーションバネ２１がシャッター２５を閉じる方向にシャッター２５を押圧する閉止力は、シャッター２５が開くにつれて大きくなる。
【００１１】
トーションバネについて、開閉角度を大きくするためには、通常、バネの塑性変形を防ぐために巻き数を増やす必要がある。しかしながら、トーションバネの巻き数を増やすにつれて、発生する復元力は小さくなる。したがって、発生する復元力を大きくするためには、トーションバネの巻き数を減らす必要があるが、その場合、トーションバネが小さな可動により塑性変形するので、開閉角度は小さくなる。巻き数が多いトーションバネは弾性係数が小さく、巻き数が少ないトーションバネは弾性整数が大きい。弾性係数とは、バネが外部から力を加えられることによって変形した際に発生する復元力の強さと、バネの変形量（例えばバネが伸びた長さなど）との関係を示す係数である。
【００１２】
また、トーションバネと比較して弾性係数が一般的に大きいバネとして、板バネが知られている。板バネは、板状に形成された金属を変形させた際に、その金属が変形する前の形状に戻ろうとして発生する復元力を利用したバネである。板バネは、トーションバネと比較して復元力は大きいが、塑性変形の観点において実現可能な可動範囲が小さいので、大きな開閉角度を得ることは困難である。
【００１３】
以上の様に、一般的に、バネの特性として、復元力（シャッター構造における閉止力）と変形可能範囲（シャッター構造における開閉角度）は、互いに負の相関関係にある。すなわち、弾性係数が小さいバネは、復元力が小さいが変形可能範囲が大きく、弾性係数が大きいバネは、復元力が大きいが変形可能範囲が小さいという特性がある。したがって、広い開閉角度と大きな閉止力とを兼ね備えたシャッター構造を実現することが困難であるという課題がある。特許文献１乃至３が開示する技術では、この課題を解決することはできない。本願発明の主たる目的は、この課題を解決した部材押圧機構等を提供することである。
【課題を解決するための手段】
【００１４】
本願発明の一態様に係る部材押圧機構は、第一の弾性係数の第一の弾性体と、前記第一の弾性係数とは異なる第二の弾性係数の第二の弾性体と、前記第一及び第二の弾性体が、縮められたことにより変形したときの復元方向に互いに前記第一及び第二の弾性体を押圧する位置で配置され、且つ、当該位置から外力を加えられるのに応じて前記第一及び第二の弾性体の前記復元方向に、相対的な位置が可変である第一及び第二の部材と、を備える。
【００１５】
上記目的を達成する他の見地において、本願発明の一態様に係る部材押圧方法は、第一の弾性係数の第一の弾性体と、前記第一の弾性係数とは異なる第二の弾性係数の第二の弾性体とが、縮められたことにより変形したときの復元方向に、第一及び第二の部材が互いに前記第一及び第二の弾性体を押圧する位置で配置され、且つ、前記第一及び第二の部材は、当該位置から外力を加えられるのに応じて前記第一及び第二の弾性体の前記復元方向に、相対的な位置が可変である。
【発明の効果】
【００１６】
本願発明は、相対的な位置が可変である一対の部材に設けられた弾性体によって押圧された当該部材が相対的に移動する距離と、当該部材が押圧される力の強さとが、いずれも基準を満たすことを可能とする。
【図面の簡単な説明】
【００１７】
【図１】本願発明の第１の実施形態に係るシャッター構造１の斜視図（シャッター１５が閉じた状態を示す図）である。
【図２】本願発明の第１の実施形態に係るバネ配置構造１０を拡大した斜視図（シャッター１５が閉じた状態を示す図）である。
【図３】図２に示すバネ配置構造１０をＺ軸正方向に見たＸＹ平面図である。
【図４】本願発明の第１の実施形態に係るシャッター構造１の斜視図（シャッター１５が開いた状態を示す図）である。
【図５】本願発明の第１の実施形態に係るバネ配置構造１０を拡大した斜視図（シャッター１５が開いた状態を示す図）である。
【図６】図５に示すバネ配置構造１０をＺ軸正方向に見たＸＹ平面図である。
【図７】本願発明の第１の実施形態に係るシャッター構造１をＺ軸正方向に見たＸＹ平面図（シャッター１５が閉じた状態を示す図）である。
【図８】本願発明の第１の実施形態に係るシャッター構造１をＺ軸正方向に見たＸＹ平面図（シャッター１５が開く途中の状態を示す図）である。
【図９】本願発明の第１の実施形態に係るシャッター構造１をＺ軸正方向に見たＸＹ平面図（シャッター１５が開いた状態を示す図）である。
【図１０】本願発明の第１の実施形態に係るトーションバネ１１、及び、一般的なシャッター構造２におけるトーションバネ２１が変形する範囲をＺ軸正方向に見たＸＹ平面図である。
【図１１】一般的なシャッター構造２の斜視図（シャッター２５が閉じた状態を示す図）である。
【図１２】一般的なシャッター構造２におけるバネ配置構造２０を拡大した斜視図（シャッター２５が閉じた状態を示す図）である。
【図１３】図１２に示すバネ配置構造２０をＺ軸正方向に見たＸＹ平面図である。
【図１４】一般的なシャッター構造２の斜視図（シャッター２５が開いた状態を示す図）である。
【図１５】一般的なシャッター構造２におけるバネ配置構造２０を拡大した斜視図（シャッター２５が開いた状態を示す図）である。
【図１６】図１５に示すバネ配置構造２０をＺ軸正方向に見たＸＹ平面図である。
【図１７】一般的なシャッター構造２をＺ軸正方向に見たＸＹ平面図（シャッター２５が閉じた状態を示す図）である。
【図１８】一般的なシャッター構造２をＺ軸正方向に見たＸＹ平面図（シャッター２５が開く途中の状態を示す図）である。
【図１９】一般的なシャッター構造２をＺ軸正方向に見たＸＹ平面図（シャッター２５が開いた状態を示す図）である。
【図２０】本願発明の第１の実施形態の変形例に係るシャッター構造３をＺ軸正方向に見たＸＹ平面図（シャッター１５が閉じた状態を示す図）である。
【図２１】本願発明の第２の実施形態に係る部材押圧機構４の構造を示すＸＹ平面図である。
【発明を実施するための形態】
【００１８】
以下、本願発明の実施の形態について図面を参照して詳細に説明する。尚、以下の説明においては、説明の便宜上、図面中に３次元（Ｘ−Ｙ−Ｚ）座標空間を適宜示して説明するとことする。以下に説明する各実施形態では、Ｘ軸方向及びＹ軸方向が水平方向であり、Ｚ軸方向が垂直方向である。
【００１９】
＜第１の実施形態＞
図１は、本願発明の第１の実施形態に係るシャッター構造１について、シャッター１５が閉じた状態を表す斜視図である。本実施形態に係るシャッター構造１は、デバイスを搭載する装置が、そのデバイスを搭載することが可能な部分に備えた構造である。シャッター構造１は、トーションバネ１１、板バネ１２及び１３、筐体側面１４（第１の部材）、シャッター１５（第２の部材）、及び、回転軸１６を備えている。
【００２０】
板バネ１２及び１３の弾性係数は、トーションバネ１１の弾性係数よりも大きいとする。板バネ１２は、押圧部１２１及び接合部１２２を有している。接合部１２２は、筐体側面１４に接合されている。押圧部１２１は、筐体側面１４の沿設方向に対して角度をなしている。板バネ１３は、押圧部１３１及び接合部１３２を有している。接合部１３２は、シャッター１５に接合されている。押圧部１３１は、シャッター１５の沿設方向に対して角度をなしている。回転軸１６は筐体側面１４に接合されている。シャッター１５は、回転軸１６を中心として回転可能に、回転軸１６に取り付けられている（軸支されている）。
【００２１】
図２は、図１に示すバネ配置構造１０を拡大した斜視図である。図３は、図２に示すバネ配置構造１０をＺ軸正方向に見たＸＹ平面図である。図２及び３に示す通り、トーションバネ１１は、ねじり部１１１、筐体側面側突起部（凸部）１１２−１、及び、シャッター側突起部（凸部）１１２−２を有している。筐体側面側突起部１１２−１は、筐体側面１４とシャッター１５とがなす角度（回転角度）にかかわらず、押圧部１２１と互いに復元方向に押圧した状態で当接する。シャッター側突起部１１２−２も同様に、回転角度にかかわらず、押圧部１３１と互いに復元方向に押圧した状態で当接する。
【００２２】
ねじり部１１１は、コイル状に形成された金属である。ねじり部１１１は、筐体側面側突起部１１２−１が押圧部１２１によって押圧され、シャッター側突起部１１２−２が押圧部１３１によって押圧されることによって変形し、変形前の形状に戻る方向に復元力を発生する。この際、押圧部１２１が筐体側面側突起部１１２−１によって押圧され、押圧部１３１がシャッター側突起部１１２−２によって押圧された結果、板バネ１２及び１３は変形する。板バネ１２及び１３は、変形前の形状に戻る方向に復元力を発生する。
【００２３】
図２に示す通り、押圧部１２１は、その表面に、筐体側面側突起部１１２−１と当接する凹部（スリット）１２１０を有する。凹部１２１０は、シャッター１５の回転に伴い、筐体側面側突起部１１２−１と当接する部分に設けられたガイド（溝）である。筐体側面側突起部１１２−１及び凹部１２１０は、シャッター１５の回転に伴い、摺動可能である。押圧部１３１は、その表面に、シャッター側突起部１１２−２と当接する凹部（スリット）１３１０を有する。凹部１３１０は、シャッター１５の回転に伴い、シャッター側突起部１１２−２と当接する部分に設けられたガイドである。シャッター側突起部１１２−２及び凹部１３１０は、シャッター１５の回転に伴い、摺動可能である。
【００２４】
図４は、シャッター構造１について、シャッター１５が開いた状態を表す斜視図である。図５は、図４に示すバネ配置構造１０を拡大した斜視図である。図６は、図５に示すバネ配置構造１０をＺ軸正方向に見たＸＹ平面図である。図４乃至６に示す通り、シャッター１５が開いた状態では、筐体側面１４とシャッター１５とが、平行あるいは略平行に位置する。これに伴い、筐体側面側突起部１１２−１、シャッター側突起部１１２−２、押圧部１２１、接合部１２２、押圧部１３１、及び、接合部１３２もまた、平行あるいは略平行に位置する。
【００２５】
図７乃至９に、シャッター構造１を備える装置に対して、デバイス５０がＸ軸正方向に挿入される場合における、シャッター構造１の状態を示すＸＹ平面図を示す。図７乃至９は、図２及び５に示すＡ−Ａ断面におけるＸＹ平面図である。図７は、デバイス５０が挿入される前の、シャッター１５が閉じた状態におけるシャッター構造１のＸＹ平面図である。図８は、デバイス５０が当該装置に挿入され始めたのち、シャッター１５が開く途中の状態におけるシャッター構造１のＸＹ平面図である。図９は、デバイス５０の当該装置への挿入が完了した後の、シャッター１５が開いた状態におけるシャッター構造１のＸＹ平面図である。
【００２６】
図７に示す状態において、トーションバネ１１、板バネ１２及び１３は、変形することによって復元力を発生している状態にある。したがって、シャッター１５は、板バネ１５からＸ軸負方向に対する閉止力（すなわち復元力）を受けている。このとき、シャッター１５は、図７に示す位置からそれ以上Ｘ軸負方向側に回転しないように、ストッパー（不図示）によって固定されている。
【００２７】
シャッター構造１が図７に示す状態から図９に示す状態に遷移する過程において、筐体側面１４とシャッター１５とがなす角度は、次第に小さくなる。これに伴い、トーションバネ１１は、筐体側面側突起部１１２−１とシャッター側突起部１１２−２とがなす角度が次第に小さくなるように変形する。板バネ１２は、押圧部１２１と結合部１２２とが次第に平行あるいは略平行になるように変形する。板バネ１３は、押圧部１３１と結合部１３２とが次第に平行あるいは略平行になるように変形する。このとき、トーションバネ１１と、板バネ１２及び１３とが、変形によって互いに押圧する復元力は、次第に大きくなる。
【００２８】
本実施形態に係るトーションバネ１１、板バネ１２及び１３として、筐体側面１４とシャッター１５とがなす角度が特定の値であるときに発生する復元力が所定の基準を満たすことが可能な特性を有するバネが、ユーザによって採用されている。そして、トーションバネ１１、板バネ１２及び１３として採用されたバネは、シャッター１５が図７に示す位置にあるとき（すなわち、シャッター１５が閉じた状態）に発生する復元力が閾値以上となる特性を有する。これらの特性は、バネの弾性係数、及び、非変形時（外力が加えられていないとき）の形状を表す値等に応じて決定する。この非変形時の形状としては、例えば、筐体側面側突起部１１２−１とシャッター側突起部１１２−２とがなす角度、あるいは、押圧部１２１と接合部１２２とがなす角度等があげられる。
【００２９】
本実施形態に係るシャッター構造１は、相対的な位置が可変である一対の部材（筐体側面１４及びシャッター１５）に設けられた弾性体（トーションバネ１１、板バネ１２及び１３）によって押圧された当該部材が相対的に移動する距離と、当該部材が押圧される力の強さとが、いずれも基準を満たすことができる。その理由は、シャッター構造１が下記の構造をなすからである。すなわち、
・弾性係数が互いに異なる弾性体である、トーションバネ１１と、板バネ１２及び１３とが、外力を加えられることにより変形するのに応じて生じる復元方向に互いに押圧する状態に配置されている。
・上記の通り配置されたこれらの弾性体は、その復元方向に、相対的な位置が可変である当該部材を、その相対的な位置にかかわらず押圧する。
【００３０】
以下に、本実施形態に係るシャッター構造１によって実現される効果について、詳細に説明する。
【００３１】
一般的に、バネの特性として、復元力と変形可能範囲は、互いに負の相関関係にある。すなわち、弾性係数が小さいバネは、復元力が小さいが変形可能範囲が大きく、弾性係数が大きいバネは、復元力が大きいが変形可能範囲が小さいという特性がある。したがって、広い開閉角度と大きな閉止力とを兼ね備えたシャッター構造を実現することが困難であるという課題がある。
【００３２】
これに対して、本実施形態に係るシャッター構造１では、復元方向に互いに押圧する状態に配置された、弾性係数が異なる２種類のバネ（トーションバネ及び板バネ）を備える。これにより、本実施形態に係るシャッター構造１は、大きな変形可能範囲と大きな復元力と、を兼ね備えることができる。したがって、本実施形態に係るシャッター構造１は、相対的な位置が可変である一対の部材に設けられた弾性体によって押圧された当該部材が相対的に移動する距離と、当該部材が押圧される力の強さとが、いずれも各々の基準を満たすことができる。
【００３３】
図１０に、本実施形態に係るトーションバネ１１、及び、一般的なシャッター構造２におけるトーションバネ２１が変形する範囲をＺ軸正方向に見たＸＹ平面図を示す。トーションバネ１１、及び、トーションバネ２１について、非変形時において、筐体側面側突起部１１２−１（２１２−１）とシャッター側突起部１１２−２（２１２−２）とがなす角度は、いずれも角度ａである。トーションバネ１１、及び、トーションバネ２１について、シャッター１５（２５）が開いた状態（すなわち、図９あるいは図１９に示す状態）において、筐体側面側突起部１１２−１（２１２−１）とシャッター側突起部１１２−２（２１２−２）とがなす角度は、いずれも角度ｄである。
【００３４】
トーションバネ１１について、シャッター１５が閉じた状態（すなわち、図７に示す状態）において筐体側面側突起部１１２−１とシャッター側突起部１１２−２とがなす角度は、角度ｃである。これに対して、トーションバネ２１について、シャッター２５が閉じた状態（すなわち、図１７に示す状態）において筐体側面側突起部２１２−１とシャッター側突起部２１２−２とがなす角度は、角度ｂである。図１０に示す通り、角度ｃは角度ｂよりも値が小さい。すなわち、シャッターが閉じた状態における、トーションバネの変形量については、本実施形態に係るシャッター構造１の方が、一般的なシャッター構造２よりも大きい。したがって、シャッターが閉じた状態において、シャッターが押圧される閉止力は、本実施形態に係るシャッター構造１の方が、一般的なシャッター構造２よりも大きい。尚、シャッターが回転可能な範囲は、図７乃至９、及び、図１７乃至１９に示す通り、本実施形態に係るシャッター構造１及び一般的なシャッター構造２とも、９０度程度であり互いに等しい。すなわち、本実施形態に係るシャッター構造１は、一般的なシャッター構造２が有する、シャッターが回転可能な範囲を維持するとともに、シャッターが閉じた状態におけるシャッターが押圧される閉止力を、一般的なシャッター構造２よりも高めることができる。
【００３５】
また、本実施形態では、押圧部１２１及び１３１は、その表面に、順に、凹部１２１０及び１３１０を有している。筐体側面側突起部１１２−１及び凹部１２１０は、シャッター１５の回転に伴い、摺動可能である。シャッター側突起部１１２−２及び凹部１３１０は、シャッター１５の回転に伴い、摺動可能である。これにより、本実施形態に係るシャッター構造１は、シャッター１５を安定して回転することができる。  また、本実施形態では、トーションバネ１１、板バネ１２及び１３として、筐体側面１４とシャッター１５とがなす角度が特定の値であるときに発生する復元力が所定の基準を満たすことが可能な特性（弾性係数、及び、非変形時の形状等）を有するバネが、採用されている。これにより、本実施形態に係るシャッター構造１は、シャッターが押圧される閉止力に関するユーザニーズに柔軟に対応できる。
【００３６】
なお、本実施形態に係るシャッター構造１は、板バネ１２及び１３を備えているが、シャッター構造１は、板バネ１２及び１３のいずれか一方のみを備えてもよい。図２０に、板バネについて、板バネ１２のみを備えた（板バネ１３を備えない）、本実施形態の変形例に係るシャッター構造３をＺ軸正方向に見たＸＹ平面図を示す。シャッター構造３では、シャッター側突起部１１２−２は、筐体側面１４とシャッター１５とがなす回転角度にかかわらず、復元方向に押圧した状態でシャッター１５と当接する。
【００３７】
また、本実施形態に係るトーションバネ１１を板バネ等の別の種類のバネに置き換えてもよいし、板バネ１２及び１３をトーションバネ等の別の種類のバネに置き換えてもよい。
【００３８】
また、本実施形態に係るシャッター構造１は、シャッター１５が回転軸１６を中心に回転可能な構造に限定されない。本実施形態に係るシャッター構造１の技術は、例えば、シャッターが、筐体内部のいずれかの面（筐体内部面）と互いに平行あるいは略平行な状態を維持して移動可能である場合にも適用できる。すなわちこの場合、シャッター構造は、特性が異なるバネが復元方向に互いに押圧する状態に配置された構成が発生する復元力によって、シャッターと筐体内部面との距離が大きくなる方向に、その距離にかかわらず、シャッターと筐体内部面とを押圧する。
【００３９】
＜第２の実施形態＞
図２１は、本願発明の第２の実施形態に係る部材押圧機構４の構造を示すＸＹ平面図である。
【００４０】
本実施形態に係る部材押圧機構４は、第１の弾性体４１、第２の弾性体４２、第１の部材４４、及び、第２の部材４５を備えている。
【００４１】
第１の弾性体４１の弾性係数は、第１の弾性係数である。
【００４２】
第２の弾性体４２の弾性係数は、第１の弾性係数とは異なる第２の弾性係数である。
【００４３】
第１の部材４４、及び、第２の部材４５は、第１の弾性体４１及び第２の弾性体４２が、縮められたことにより変形したときの復元方向に、互いに第１の弾性体４１及び第２の弾性体４２を押圧する位置で配置されている。第１の部材４４、及び、第２の部材４５は、当該位置から外力を加えられるのに応じて第１の弾性体４１及び第２の弾性体４２の復元方向に、相対的な位置が可変である。
【００４４】
本実施形態に係る部材押圧機構４は、相対的な位置が可変である一対の部材に接合された弾性体によって押圧された当該部材が相対的に移動する距離と、当該部材が押圧される力の強さとが、いずれも基準を満たすことができる。その理由は、部材押圧機構４が下記の構造をなすからである。すなわち、
・弾性係数が互いに異なる弾性体である、第１の弾性体４１と第２の弾性体４２とが、外力を加えられることにより変形するのに応じて生じる復元方向に互いに押圧する状態に配置されている。
・上記の通り配置されたこれらの弾性体は、その復元方向に、相対的な位置が可変である第１の部材４４及び第２の部材４５を、その相対的な位置にかかわらず押圧する。
【００４５】
以上、上述した実施形態を模範的な例として本願発明を説明した。しかしながら、本願発明は、上述した実施形態には限定されない。即ち、本願発明は、本願発明のスコープ内において、当業者が理解し得る様々な態様を適用することができる。
【符号の説明】
【００４６】
１    シャッター構造
１０    バネ配置構造
１１    トーションバネ
１１１    ねじり部
１１２−１    筐体側面側突起部
１１２−２    シャッター側突起部
１２    板バネ
１２１    押圧部
１２１０    凹部
１２２    接合部
１３    板バネ
１３１    押圧部
１３１０    凹部
１３２    接合部
１４    筐体側面
１５    シャッター
１６    回転軸
２    シャッター構造
２０    バネ配置構造
２１    トーションバネ
２１１    ねじり部
２１２−１    筐体側面側突起部
２１２−２    シャッター側突起部
２４    筐体側面
２５    シャッター
２６    回転軸
３    シャッター構造
４    部材押圧機構
４１    第１の弾性体
４２    第２の弾性体
４４    第１の部材
４５    第２の部材
５０    デバイス
【図１】
0006605860.tif 000002
【図２】
0006605860.tif 000003
【図３】
0006605860.tif 000004
【図４】
0006605860.tif 000005
【図５】
0006605860.tif 000006
【図６】
0006605860.tif 000007
【図７】
0006605860.tif 000008
【図８】
0006605860.tif 000009
【図９】
0006605860.tif 000010
【図１０】
0006605860.tif 000011
【図１１】
0006605860.tif 000012
【図１２】
0006605860.tif 000013
【図１３】
0006605860.tif 000014
【図１４】
0006605860.tif 000015
【図１５】
0006605860.tif 000016
【図１６】
0006605860.tif 000017
【図１７】
0006605860.tif 000018
【図１８】
0006605860.tif 000019
【図１９】
0006605860.tif 000020
【図２０】
0006605860.tif 000021
【図２１】
0006605860.tif 000022